(57)【要約】【課題】折りたたみ式携帯撮像機の開閉角度に応じて自動的にセルフタイマーモードになる折りたたみ式携帯撮像機を提供する。【解決手段】基体３４と蓋体３２とを相対回転させて開き、ヒンジ部２６を中心にして所定範囲の開閉角度を形成した状態で保持させた場合には、撮影モードが自動でセルフタイマーモードになる。【選択図】  図２
2004336514.tif 000002
【特許請求の範囲】
【請求項１】
被写体を撮影する光学系を備えた撮像手段を有し、キー操作部側本体と表示部側本体とをヒンジ部で折りたためる構造とした折りたたみ式携帯撮像機であって、
前記キー操作部側本体と前記表示部側本体とを相対回転させて所定範囲の開閉角度を形成させた状態で保持された場合には、前記撮像手段の撮影モードが自動でセルフタイマーモードに設定される折りたたみ式携帯撮像機。
【請求項２】
前記所定範囲の開閉角度は前記ヒンジ部又はヒンジ部近傍に表示されている請求項１の折りたたみ式携帯撮像機。
【請求項３】
前記折りたたみ式携帯撮像機は撮影モード選択手段を更に有し、当該撮影モード選択手段はセルフタイマーモードを解除する解除手段を有する請求項１の折りたたみ式携帯撮像機。
【請求項４】
前記所定範囲の開閉角度は４５°〜１３５°である請求項１の折りたたみ式携帯撮像機。
【請求項５】
前記所定範囲の開閉角度は８０°〜１００°である請求項１の折りたたみ式携帯撮像機。
【発明の詳細な説明】
【０００１】
【発明の属する技術分野】
本発明は、撮像部を有し、キー操作部側本体と表示部側本体とをヒンジ部で折りたためる構造とした折りたたみ式携帯撮像機に関する。
【０００２】
【従来の技術】
近年、カメラ付き携帯電話やカメラ付き携帯情報端末などで、折りたためる形式の携帯撮像機が普及している。これらの折りたたみ式携帯撮像機は、撮影レンズ、ＣＣＤなどの光学系を備えた撮像手段を有する。さらに、ユーザ自身が被写体となることができるように、セルフタイマーモードを備えたものが多い。
【０００３】
しかし、現状の折りたたみ式携帯撮像機は、撮像機の小型化、特に厚さを小さくするために、三脚穴を備えていないものがほとんどである。したがって、現状の折りたたみ式携帯撮像機でセルフタイマー撮影をする場合には、折りたたみ式携帯撮像機を折りたたみヒンジを中心にＬ字型に折り曲げて机等の平面上に置く場合が多い。下記特許文献１は、折りたたみ式携帯撮像機において手持ちでなくても安定してセルフタイマーが使用できるように、所定角度で開いた姿勢を保持する節度発生部を設けたり、外面に三脚ネジ穴を設けたりしている。
【０００４】
一方、セルフタイマーモード以外の通常撮影では、折りたたみ式携帯撮像機を約１８０°にして開く場合が多い。
【０００５】
【特許文献１】
特開２００２−２９５４４５号公報
【０００６】
【発明が解決しようとする課題】
本発明は、上記の事情を考慮して、折りたたみ式携帯撮像機の開閉角度に応じて自動的にセルフタイマーモードになる折りたたみ式携帯撮像機を提供することを目的とする。
【０００７】
【課題を解決するための手段】
請求項１の本発明は、被写体を撮影する光学系を備えた撮像手段を有し、キー操作部側本体と表示部側本体とをヒンジ部で折りたためる構造とした折りたたみ式携帯撮像機であって、
前記キー操作部側本体と前記表示部側本体とを相対回転させて所定範囲の開閉角度を形成させた状態で保持された場合には、前記撮像手段の撮影モードが自動でセルフタイマーモードに設定される折りたたみ式携帯撮像機、からなる。
【０００８】
請求項１の本発明によれば、キー操作部側本体と表示部側本体とをヒンジ部を中心にして相対回転させて所定範囲の開閉角度を形成させた状態で保持された場合には、撮像手段の撮影モードが自動でセルフタイマーモードに設定される。ここでの保持とは、所定範囲の開閉角度を形成させた状態で瞬時に止まった場合も含む。所定範囲の開閉角度とは、キー操作部側本体と表示部側本体とを開いた状態で開閉角度が小さい方を指す。
【０００９】
請求項２の本発明は、前記所定範囲の開閉角度は前記ヒンジ部又はヒンジ部近傍に表示されている請求項１の折りたたみ式携帯撮像機、からなる。
【００１０】
請求項２の本発明によれば、セルフタイマーモードに設定される際の開閉角度範囲がヒンジ部又はヒンジ部近傍に表示されているので、ユーザは目で確認しながらセルフタイマーモードになる開閉角度を確実に形成させることができる。
【００１１】
請求項３の本発明は、前記折りたたみ式携帯撮像機は撮影モード選択手段を更に有し、当該撮影モード選択手段はセルフタイマーモードを解除する解除手段を有する請求項１の折りたたみ式携帯撮像機、からなる。
【００１２】
請求項３の本発明によれば、キー操作部側本体と表示部側本体とを前記所定範囲の開閉角度に形成させた場合でも解除手段を作動させればセルフタイマーモードを解除できる。
【００１３】
請求項４、５の本発明によれば、請求項１の所定範囲の開閉角度は４５°〜１３５°（すなわち、９０°±４５°）が考えられ、さらに好ましくは８０°〜１００°（すなわち、９０°±１０°）である。
【００１４】
【発明の実施の形態】
以下、添付図面に従って、本発明を適用した折りたたみ式携帯撮像機の実施の形態について詳説する。本形態では、折りたたみ式携帯撮像機として折りたたみ式携帯電話機（以下、「携帯電話」という）を適用した場合を説明する。
【００１５】
図２は、携帯電話２を１８０°開いた状態を示す平面図である。
【００１６】
携帯電話２は、キー操作部側本体である基体３４と表示部側本体である蓋体３２とがヒンジ２６を介して完全に折りたたんだ状態から１８０°開いた状態まで回動するようになっている。
【００１７】
ヒンジ２６には、内側の回動部分にヒンジ内側マーク２８、外側の回動部分にヒンジ外側マーク３０が表記されている。ヒンジ内側マーク２８は、ヒンジ２６の長手方向に沿って数ミリの同じ幅をもって表記されている。ヒンジ外側マーク３０については、▲印がヒンジ内側マーク２８を挟んだ両サイドにそれぞれ表記されている。
【００１８】
ヒンジ内側マーク２８は、基体３４と蓋体３２との開閉角度が４５°〜１３５°の範囲にある場合にヒンジ外側マーク３０がヒンジ内側マーク２８の幅内を指す（すなわち、両マーク２８、３０が一致した状態になる）ような幅サイズに設定される。４５°〜１３５°としたのは、この角度範囲に設定されるときが携帯電話をセルフタイマー撮影で使うことが多いからである。この幅サイズは、携帯電話２をさらに安定して机上等に載置させたい場合には上記開閉角度が８０°〜１００°になっているとき（携帯電話２がほぼＬ字型になる）に両マークが一致した状態になるよう設定することが望ましい。８０°〜１００°の範囲が携帯電話を机上等に載置したときに最も安定する角度だからである。
【００１９】
本実施の形態では、開閉時に開閉角度が４５°、８０°、９０°、１００°、１３５°になったとき、蓋体３２が基体３４に対して停止できる構成になっている。すなわち、ユーザが蓋体３２を開閉する時に開閉角度が４５°、８０°、９０°、１００°、１３５°になったとき基体３４に対してクリック感をもつようになっている。
【００２０】
蓋体３２の裏側（表示部と反対側）上方には、撮影レンズ２４が取り付けられている。
【００２１】
携帯電話２の機能構成を説明する。
【００２２】
図１は、携帯電話２の構成を示すブロック図である。
【００２３】
携帯電話２は、角度検出部４、セルフタイマー部６、制御部８、メモリ１０、画像処理部１２、通信データ入出力部１４、文字・画像情報表示部１６、テンキー等ボタンインターフェース（Ｉ／Ｆ）１８、電話部２０、撮像部２２、からなり、これらがバスで接続されている。
【００２４】
角度検出部４は、基体３４と蓋体３２との開閉角度を検出する。
【００２５】
セルフタイマー部６は、携帯電話２がセルフタイマーモードになったときにタイマー機能を発揮する部分である。
【００２６】
制御部８は、携帯電話２を統括制御するＣＰＵである。制御部８は、パワー電源、テンキー等ボタンから受け入れする入力信号に基づいて、対応する回路の動作を制御し、文字・画像情報表示部１６における表示の制御、セルフタイマー作動制御、オートフォーカス（ＡＦ）制御、自動露出（ＡＥ）制御、ホワイトバランス制御、画像補正制御、等を行う。
【００２７】
メモリ１０は、各種システムプログラム、登録済み電話番号、登録済みメールアドレス、受信済みメッセージ、着信記録、撮影済み画像等の他、セルフタイマー作動制御プログラムを記憶している。
【００２８】
画像処理部１２は、撮像部２２で撮影した画像の補正処理（ホワイトバランス補正、フレア補正など）を行う。
【００２９】
通信データ入出力部１４は、電話回線、インターネット回線との接続を行うことが可能で、外部端末への電話、メール、画像付きメール等の発信機能、外部端末からの電話、メール、画像付きメール等の受信機能を有する。
【００３０】
文字・画像情報表示部１６は、電話、メールに関する文字情報や撮影中の画像、受信した画像についての画像情報を表示し、液晶ディスプレイ（ＬＣＤ）が用いられることが多い。
【００３１】
テンキー等ボタンインターフェース（Ｉ／Ｆ）１８は、テンキー、スクロールバーなどの入力要素のインターフェースであり、入力情報を受け付ける。テンキーには撮影モード選択ボタン３６も存在する。撮影モード選択ボタン３６を押すたびに、基体３４と蓋体３２とが上記所定範囲の角度を形成した場合には自動でセルフタイマーモードに設定される「所定角度セルフタイマーモード」と、基体３４と蓋体３２とが上記所定範囲の角度を形成した場合にもセルフタイマーモードにはならない「所定角度セルフタイマー解除モード」とが交互に設定されるようになっている。
【００３２】
電話部２０は、電話に関する機能を有している。
【００３３】
撮像部２２は、撮像に関する機能を有しており、ＣＣＤ、Ａ／Ｄ変換部などを有している。
【００３４】
本実施の形態の作用を説明する。
【００３５】
携帯電話２の電源が入っている状態で、撮影モード選択ボタン３６により自動でセルフタイマーモードになる「所定角度セルフタイマーモード」になっている場合、携帯電話２の蓋体３２を開閉させると、角度検出部４が開閉角度を検出する。検出した角度情報は制御部８に送られ、開閉角度が４５°、８０°、９０°、１００°、１３５°になったとき、制御部８はセルフタイマー部６にセルフタイマーモードになるよう制御情報を送る。これは、閉じている蓋体３２を開くときも開いている蓋体３２を閉じるときも同じように作動する。これらのプログラムはメモリ１０に格納されている。
【００３６】
図３は、開閉角度が９０°になった場合の携帯電話２を示す。蓋体３２はこの状態で基体３４に対して停止しているので、ユーザは携帯電話２を机上等に置いてセルフタイマー撮影をすることができる。ユーザは、開閉角度をヒンジ２６のヒンジ外側マーク３０がヒンジ内側マーク２８の幅内に入ることで「所定角度セルフタイマーモード」になることを目で確認できる。
【００３７】
図４は、開閉角度が１７０°になった場合の携帯電話２を示す。１７０°は、４５°〜１３５°の範囲外であるので、自動でセルフタイマーモードにはならない。従って、通常撮影モードになる。もしこの角度でセルフタイマーを作動させたい場合は、他のテンキーを操作することにより手動でセルフタイマーモードを設定する。
【００３８】
一方、携帯電話２の電源が入っている状態で、撮影モード選択ボタン３６により、自動でセルフタイマーモードにはならない「所定角度セルフタイマー解除モード」になっている場合、携帯電話２の蓋体３２を開閉させても、角度検出部４は開閉角度を検出しない。したがって、角度情報も制御部８には送られないので、制御部８はセルフタイマー部６に制御情報を送らない。この場合に、他のテンキーを操作することにより手動でセルフタイマーモードを設定することは可能である。
【００３９】
本形態により、セルフタイマー撮影をしたい場合にモードメニューでその都度セルフタイマーモードを設定する手間が省け、瞬時に携帯電話２をセルフタイマーモードにすることができる。したがって、シャッターチャンスを逃がさず撮影することがより可能となる。
【００４０】
本実施の形態では、蓋体３２と基体３４との相対回転の際、上記所定角度になるとクリック感を持たせるようにしたが、クリック感をもたせないで０°〜１８０°までの全角度の間で摩擦感をもたせた回転とさせることもできる。この場合、４５°〜１３５°までの間でユーザは自由に開閉角度設定をすることができ、「所定角度セルフタイマーモード」になっている場合は、開閉角度が４５°〜１３５°になると自動でセルフタイマーモードになる。
【００４１】
本形態では、撮影レンズ２４が蓋体３２の裏側に１個取り付けられた携帯電話を用いて説明したが、撮影レンズが蓋体３２の表裏に１個ずつ取り付けられた携帯電話でも本発明は適用できる。
【００４２】
【発明の効果】
請求項１の本発明によれば、セルフタイマー撮影をしたいときに、キー操作部側本体と表示部側本体とを所定範囲の開閉角度を形成させて保持させるだけで済むので、折りたたみ式携帯撮像機のモードメニューでその都度セルフタイマーモードに設定する手間が省ける。
【００４３】
請求項２の本発明によれば、ユーザがヒンジ部又はヒンジ部近傍の表示を目で確認しながらセルフタイマーモードになる開閉角度を確実に形成させることができる。
【００４４】
請求項３の本発明によれば、キー操作部側本体と表示部側本体とを所定範囲の開閉角度に形成させて自動でセルフタイマーモードになった場合でもセルフタイマーモードを解除できる。
【００４５】
請求項４、５の本発明によれば、折りたたみ式携帯撮像機を、キー操作部側本体と表示部側本体とを所定範囲の開閉角度を形成、保持させて台の上などに安定載置した状態でセルフタイマー撮影できる。
【図面の簡単な説明】
【図１】携帯電話の構成を示すブロック図。
【図２】携帯電話を１８０°開いた状態を示す平面図。
【図３】開閉角度が９０°になった場合の携帯電話を示した図。
【図４】開閉角度が１７０°になった場合の携帯電話を示した図。
【符号の説明】
２…携帯電話、４…角度検出部、６…セルフタイマー部、８…制御部、１０…メモリ、１８…テンキー等ボタンＩ／Ｆ、２４…撮影レンズ、２６…ヒンジ、２８…ヒンジ内側マーク、３０…ヒンジ外側マーク、３２…蓋体、３４…基体、３６…撮影モード選択ボタン
【図１】
2004336514.tif 000003
【図２】
2004336514.tif 000004
【図３】
2004336514.tif 000005
【図４】
2004336514.tif 000006